(57)【要約】【課題】株式上場企業の業績予想をビジュアルに表示してＷｅｂ画面上で判り易いように図式化して表示する。【解決手段】証券会社１からアナリストの予想を含むレポート情報を取得して時系列的に蓄積するデータベース４と、データベース４に蓄積したレポート情報について、グラフ作成、データベース４へのクエリ発行、ユーザ６からのリクエストの受付処理する演算処理装置３と、公衆通信回線５を利用して演算処理装置３にアクセスして所望のレポート情報を取得するユーザ端末６と、を備え、ユーザ端末６のＷｅｂ画面に、レポート情報の選択された項目に基づくデータを、画面の横軸を時間軸としてアナリストの予想の表示マークを時間の経過に従って時系列表示すると共に各アナリスト予想を平均した数値(コンセンサス)をグラフとして業績予想等について表示し、このＷｅｂ画面に複数人のアナリストの予想を表示マークで表示する。【選択図】図１
2007264969.tif 000002
【特許請求の範囲】
【請求項１】
証券会社（１）からアナリストの予想を含むレポート情報を取得して時系列的に蓄積するデータベース（４）と、
前記データベース（４）に蓄積したレポート情報について、グラフ作成、前記データベース（４）へのクエリ発行、ユーザからのリクエストの受付処理する演算処理装置（３）と、
公衆通信回線（５）を利用して前記演算処理装置（３）にアクセスして所望のレポート情報を取得するユーザ端末（６）と、を備え、
前記ユーザ端末（６）のＷｅｂ画面に、前記レポート情報の選択された項目に基づくデータを、画面の横軸を時間軸としてアナリストの予想の表示マークを時間の経過に従って時系列表示すると共に各アナリスト予想を平均した数値(コンセンサス)をグラフとして業績予想等について表示し、
このＷｅｂ画面に複数人のアナリストの予想を表示マークで表示するようにした、ことを特徴とする各種予想及び各種コンセンサスグラフの表示方法。
【請求項２】
前記Ｗｅｂ画面に、現在の市場評価を反映するために、前記アナリスト予想を平均した数値(コンセンサス)にリセットの概念を表示する、ことを特徴とする請求項１の各種予想及び各種コンセンサスグラフの表示方法。
【請求項３】
前記演算処理装置（３）において、時間の経過に伴うユーザーの関心の度合いをウェイト付けして各期のコンセンサスを統合するために、今期、来期加重による合成コンセンサスを生成する、ことを特徴とする請求項１の各種予想及び各種コンセンサスグラフの表示方法。
【請求項４】
前記演算処理装置（３）において、前記Ｗｅｂ画面に、個別、市場全体あるいはセクターの業績予想に関するセンチメントをリアルタイムに把握すると共に、各期にまたがる長期の推移を把握又は比較することを可能にするために、前記合成コンセンサスを基に集計加工したコンセンサスインデックスを生成する、ことを特徴とする請求項３の各種予想及び各種コンセンサスグラフの表示方法。
【請求項５】
前記Ｗｅｂ画面に、ユーザーの行動に影響力のあるアナリストの動向を反映させるために、前記アナリスト予想を平均した数値のコンセンサスグラフに加重平均コンセンサスを表示する、ことを特徴とする請求項１の各種予想及び各種コンセンサスグラフの表示方法。
【請求項６】
前記Ｗｅｂ画面に、株価の変動サイクルの中で、現在の株価がどういう位置にあるかを把握しやすいように、前記コンセンサスグラフと株価の変動の関係に見られる形状の「コンセンサスパターン」を表示する、ことを特徴とする請求項１の各種予想及び各種コンセンサスグラフの表示方法。
【請求項７】
前記コンセンサスパターン表示は、株価の変動サイクルを「転換予兆期」、「サプライズ期(上昇局面初動)」、「連続上昇期」、「上昇局面終盤期」、「転換予兆期」、「サプライズ期(下落局面初動)」、「連続下落期」、「下落局面終盤期」の８パターンに分けて表示したものである、ことを特徴とする請求項６の各種予想及び各種コンセンサスグラフの表示方法。
【発明の詳細な説明】
【技術分野】
【０００１】
本発明は、株式上場企業の業績予想などをビジュアルに表示して画面上で判り易いように図式化して表示するようにした各種予想及び各種コンセンサスグラフの表示方法に関するものである。
【背景技術】
【０００２】
従来より、株式上場企業の業績予想は、会社四季報等による四半期毎の文書情報などの手段により行われているものであった。近年のインターネットの発達によりＷｅｂサービスによるアナリストのレポートを含む情報を提供することも行われている。
【０００３】
例えば特許文献１の特開２００１−２８３０００の「情報表示方法及び情報表示システム」のように、実際の証券情報に基づいたファンドの運用状況や利用者の好みに応じたファンドの擬似運用評価を表示し、有効な投資判断情報を提供することができる投資信託（ファンド）情報を表示する情報表示システム及び情報表示装置が提案されている。
【特許文献１】特開２００１−２８３０００
【発明の開示】
【発明が解決しようとする課題】
【０００４】
しかし、従来の情報表示方法によっては、企業の業績のトレンドを把握しにくく、ビジュアル化においても判り易いものではなく、画面表示も例えば売上高の変位を示すような一画面であり、各種アナリスト予想及び各種コンセンサスグラフによる予想と会社発表の実績及び予想との乖離を表示する等の配慮もなされていないという問題を有していた。
【０００５】
本発明は、かかる問題点を解決するために創案されたものである。すなわち、本発明の目的は、株式上場企業の業績予想(会社発表の実績及び予想、各アナリストの業績予想、各アナリスト予想を平均したコンセンサスグラフ)をビジュアルに表示して画面上で判り易いように図式化して表示することができる各種予想及び各種コンセンサスグラフの表示方法を提供することにある。
【課題を解決するための手段】
【０００６】
本発明によれば、証券会社（１）からアナリストの予想を含むレポート情報を取得して時系列的に蓄積するデータベース（４）と、前記データベース（４）に蓄積したレポート情報について、グラフ作成、前記データベース（４）へのクエリ発行、ユーザからのリクエストの受付処理する演算処理装置（３）と、公衆通信回線（５）を利用して前記演算処理装置（３）にアクセスして所望のレポート情報を取得するユーザ端末（６）と、を備え、前記ユーザ端末（６）のＷｅｂ画面に、前記レポート情報の選択された項目に基づくデータを、画面の横軸を時間軸としてアナリストの予想の表示マークを時間の経過に従って時系列表示すると共に各アナリスト予想を平均した数値(コンセンサス)をグラフとして業績予想等について表示し、このＷｅｂ画面に複数人のアナリストの予想を表示マークで表示するようにした、ことを特徴とする各種予想及び各種コンセンサスグラフの表示方法が提供される。
前記Ｗｅｂ画面に、現在の市場評価を反映するために、前記アナリスト予想を平均した数値(コンセンサス)にリセットの概念を表示することが好ましい。
【０００７】
前記演算処理装置（３）において、時間の経過に伴うユーザーの関心の度合いをウェイト付けして各期のコンセンサスを統合するために、今期、来期加重による合成コンセンサスを生成することが好ましい。
前記演算処理装置（３）において、前記Ｗｅｂ画面に、個別、市場全体あるいはセクターの業績予想に関するセンチメントをリアルタイムに把握すると共に、各期にまたがる長期の推移を把握または比較することを可能にするために、前記合成コンセンサスを基に集計加工したコンセンサスインデックスを生成することが好ましい。
前記Ｗｅｂ画面に、ユーザーの行動に影響力のあるアナリストの動向を反映させるために、前記アナリスト予想を平均した数値のコンセンサスグラフに加重平均コンセンサスを表示することが好ましい。
前記Ｗｅｂ画面に、株価の変動サイクルの中で、現在の株価がどういう位置にあるかを把握しやすいように、コンセンサスグラフと株価の変動の関係に見られる形状の「コンセンサスパターン」を表示することが好ましい。
前記コンセンサスパターン表示には、例えば株価の変動サイクルを「転換予兆期」、「サプライズ期(上昇局面初動)」、「連続上昇期」、「上昇局面終盤期」、「転換予兆期」、「サプライズ期(下落局面初動)」、「連続下落期」、「下落局面終盤期」の８パターンに分けて表示することが好ましい。
【発明の効果】
【０００８】
上記構成の発明では、Ｗｅｂ画面に複数のアナリスト予想をレポート情報の選択された項目に基づくデータと共に、表示マークで表示しているため、簡易な各種予想が可能になる。アナリスト予想の表示マークを時間の経過にしたがって時系列表示するため、トレンドを把握し易い。特に、コンセンサスにおけるリセットの概念の導入により、現在の市場評価を反映した、より精緻なコンセンサス値の算出が可能になる。
【０００９】
今期、来期加重による合成コンセンサスを生成することで、時間の経過に伴う投資家の関心の度合いをウェイト付けして各期のコンセンサスを統合することにより、長期間にわたるコンセンサスグラフの生成やコンセンサスの指数化が可能になる。長期のトレンドが把握しやすく、また指数化することにより、他の銘柄や業種間での比較が容易となる。
コンセンサスインデックスを生成することにより、上場企業の、全体あるいはセクターごとの業績予想に関するリアルタイムでのセンチメントを把握することができる。
加重平均コンセンサスの採用により、ユーザー（投資家）の行動に影響力のあるアナリストの動向が反映されやすいコンセンサス情報の提供が可能になる。
コンセンサスグラフと株価の変動の関係に見られる形状のパターンを表示（コンセンサスパターン表示）することにより、株価の変動サイクルの中で、現在の株価がどういう位置にあるかが把握でき、短期、中期といった投資スタンスに応じたアプローチに有効である。
【発明を実施するための最良の形態】
【００１０】
本発明は、証券会社からアナリストの予想を含むレポート情報を取得して、ユーザ端末のＷｅｂ画面に、レポート情報の選択された項目に基づくデータをグラフ表示すると共に、このＷｅｂ画面に複数人のアナリストの予想を表示マークで表示するようにしたものである。
【実施例１】
【００１１】
以下、本発明の好ましい実施の形態を図面を参照して説明する。
図１は本発明の実施例１の各種予想及び各種コンセンサスグラフの表示方法のシステムである。図２は本発明の実施例１の各種予想及び各種コンセンサスグラフを表示するための処理手順を示すフロー図である。
本発明の各種予想及び各種コンセンサスグラフの表示方法は、多数の証券会社１からアナリストの予想を含むレポート情報を入力システム２に取得する。この入力システム２においては、各種予想のデータと変化状況を入力する。この入力データをデータベース４に蓄積する。演算処理装置３は、蓄積したレポート情報について描画作成、データベース４へのクエリ発行、ユーザ６からのリクエストの受付処理等をする装置である。これらの入力システム２、演算処理装置３とデータベース４は、例えば株式に関する情報提供会社７が運営する。
【００１２】
ユーザのユーザ端末６からは、公衆の通信回線５を介して表示したいデータの項目を指定する。すなわち、銘柄コード、決算期、連結決算と単独決算（連単）、本決算と中間決算及び四半期開示区分（本中四半期区分）などのキー項目として選択が可能になっている。演算処理装置３において、その指定項目を元にデータベース４から該当データを抽出し、グラフ化する。
【００１３】
図３はグラフを作成するための作成手順を示す項目である。図４は各アナリスト予想データの一例である。図５は会社予想データの一例である。図６はコンセンサスデータの一例である。
証券会社１と入力システム２との間の情報授受処理の一例は、図１と図２に基づいて説明する。先ず、ユーザはユーザ端末６を用いて表示項目を指定する（ステップ１）。
ユーザ６が表示したい項目をリクエストする。このリクエストに基づき、サーバ側で抽出データを定義する。リクエストする主キー項目、銘柄コード、決算期、連結決算と単独決算（連単）、本決算と中間決算及び四半期開示区分（本中四半期区分）、表示期間、表示予想値の種類である。
【００１４】
情報提供会社７では、データベース４からデータを抽出する。即ち、上記のルールで抽出したデータを表示期間の範囲でデータをアナリスト予想データ、会社予想データ、コンセンサスデータごとに抽出する（ステップ２）。
該当する主キー項目のデータを、表示期間の範囲でデータベース４から抽出する。
抽出したデータは、アナリスト予想データ、会社予想データ及びコンセンサスデータがある。アナリスト予想データ、会社予想データのデータ項目は、該当する予想値、変化フラグ、最新フラグである。コンセンサスデータのデータ項目は、データ日、該当する予想値のコンセンサス値である。
更に、付随するデータを抽出する。該当する期間における予想値のＭＡＸ値とＭＩＮ値を抽出する。
【００１５】
演算処理装置３では、描画、後述する図７に示すようなグラフを作成する。即ち、アナリスト予想データを描画する（ステップ３）。このグラフにおいて、横軸に日付(レポート日)を、縦軸に予想値を設定（ＭＡＸ値〜ＭＩＮ値）して表示する。
データをプロットするときは、所定の規則に従って記入する。プロットは、変化フラグによって形が変わるようになっている。また、最新のものは数値の変化によって色に変化をつける。
【００１６】
会社予想を描画するときの描画方法はアナリスト予想と同様である。ただし、最新値の色は「変化の種類」の違いに左右されず1色とする。プロットはデータをプロットするときは、所定の規則に従って記入する。     
【００１７】
コンセンサスデータを描画するときは、図７に示すように、コンセンサスデータを時系列にグラフ化する。
最後に、上記のように作成したグラフを各ユーザ端末６に配信する。
【００１８】
図７は企業の「経常利益」予想を表示したＷｅｂ画面である。
このようにして、情報提供会社７においては、各種の情報が整理されて時系列的に保存されているが、この情報提供会社７と会員契約しているユーザ６は、自らのユーザ端末６により随時アクセスすることができる。まず、情報提供会社７にアクセスすると、トップページが表示される。そこで、ログイン名、パスワードを入力することによりメニューが表示されるので、「Ｃｏｎｓｅｎｓｕｓ」、「Ｌａｔｅｓｔ」、「Ｏｖｅｒｖｉｅｗ」、「Ｓｕｒｐｒｉｓｅｓ」、「Ｒｅｖｉｓｉｏｎ」、「Ｍｙ  Ｒｏｏｍ」等のいずれかの頁を選択する。例えば、「Ａ社」を指定し、画面左側の決算期を「２００５年０３月」とし右側の決算期を「２００６年０３月」と指定し、項目（売上高、営業利益、経常利益、当期利益、ＥＰＳ（レポート）、ＥＰＳ（ＮＰ／株数）等から「経常利益」を指定し、期間（通期、上半期、四半期）を「通期」と指定し、ＡＣ（自動・連結・単独）を「自動」と指定すると、Ａ社の６月下旬・年間（１２ヶ月）グラフとしての「Ｃｏｎｓｅｎｓｕｓ」のＷｅｂ画面は、図７に示す状態になる。このＷｅｂ画面は、二画面表示であり、左側は「２００５年０３月」の「経常利益」であり、右側は、「２００６年０３月」の「経常利益」の表示となる。
【００１９】
そこで、このＷｅｂ画面で特徴的なところは、▲、▼、■、●等の記号化された表記がコンセンサスグラフ（アナリスト予想を平均したコンセンサスグラフ）と共に、表示されている点である。これらの記号化された表記の内容は、表１と表２に示した通りである。
【００２０】
ここで、色分けされた▲（青）、▼（赤）、■（黄）、●（緑）は、アナリストに係わるものであり、複数の証券会社がレポートを書いている場合には、それらが複数表記される。▲（青）は、前回予想より上げた予想であり、▼（赤）は、前回予想より下げた予想であり、■（黄）は、前回予想と変わらない予想である。また、●（緑）は、新規に調査対象とした銘柄の予想である。さらに、▲１、▼１、■１、●１等の記号化された表記が「褐色」で表示されたものは、上場会社発表の業績予想である。△１、▽１、□１、○１ヒストリーなる表記は、過去の予想数値を表示しているものである。
【００２１】
また、コンセンサスにおけるリセットの概念の導入により、現在の市場評価を反映した、より精緻なコンセンサス値の算出が可能になる。
加重平均コンセンサスの採用により、ユーザー（投資家）の行動に影響力のあるアナリストの動向が反映されやすいコンセンサス情報の提供が可能になる。
【００２２】
更に、本発明のコンセンサスグラフには次のような事項を表示している。例えば、今期、来期加重による合成コンセンサスを生成する。この時間の経過に伴う投資家の関心の度合いをウェイト付けして各期のコンセンサスを統合することにより、長期間にわたるコンセンサスグラフの生成やコンセンサスの指数化が可能。長期のトレンドが把握しやすく、また指数化することにより、他の銘柄や業種間での比較が容易となる。
【００２３】
コンセンサスインデックスを生成する。上場企業の、全体あるいはセクターごとの業績予想に関するリアルタイムでのセンチメントを把握することができると共に、各期にまたがる長期の推移を把握または比較することができる。
【００２４】
図８はコンセンサスグラフと株価の変動の関係を表した「コンセンサスパターン」を表示したものである。
このコンセンサスパターン表示は、株価の変動サイクルを「転換予兆期」、「サプライズ期(上昇局面初動)」、「連続上昇期」、「上昇局面終盤期」、「転換予兆期」、「サプライズ期(下落局面初動)」、「連続下落期」、「下落局面終盤期」の８パターンに分けて表示したものであり、それぞれのパターンにコンセンサスグラフを同時に表したものである。このパターン表示によれば、現在の株価がどういう位置にあるかが容易に把握でき、短期、中期といった投資スタンスに応じたアプローチに有効である。
【００２５】
「Ｉ  転換予兆期」
この「転換予兆期」では、図８のグラフの下側左に位置するもので、転換期に属する株価の変動期を示す。この「転換予兆期」のコンセンサスにおける「経常利益」は、下向きもしくは横ばいである。一部に、今期、来期の予想を強気に見るなど、業績の基調の変化を論じるアナリストが出てくる。
一部にレーティングをニュートラルに戻す動きが見られるが、大半は低水準に据え置いた状態である。
この「転換予兆期」における「株価」は、下値近辺ながら、徐々に底固さを見せる。幾度が反騰する場面も見られるが、低位でのボックスの展開である。薄商いの物色圏外の状況が続く。
この「転換予兆期」における「アナリストの心理・業績への投資家の期待感」は、アナリストも業績の基調の変化にまだ確信は持てずにいる状況である。業績が悪いというイメージが続いているが株価の底打ち感を感じ始める。株価の水準については、割安感はあるものの足元の業績から妥当と判断するアナリストが大半を占める。
【００２６】
「ＩＩ  サプライズ期(上昇局面初動) 」
この「サプライズ期(上昇局面初動)」では、図８のグラフの左側下部に位置するもので、上昇期に属する株価の変動期を示す。この「サプライズ期(上昇局面初動)」のコンセンサスにおける「経常利益」は、追従して、今来期の業績予想を上方修正するアナリストが増え始める。
レーティングは、弱気、ニュートラル、ニュートラルよりもやや強気に転じるアナリストが混在しているが、コンセンサスとしてはまだ中立より弱気の状況である。
この「サプライズ期(上昇局面初動)」における「株価」は、戻りを試す動きが強くなる。会社発表で上方修正が確認されることにより本格的上昇局面になる。株価の上昇率が一番大きい時期である。出来高も徐々に増加し、急激に出来高が膨らむ局面も出現する。
この「サプライズ期(上昇局面初動)」における「アナリストの心理・業績への投資家の期待感」は、基調の変化を予想するアナリストが徐々に増えてくる。一方で強気になれないアナリストも依然多い。株価は底打ち感から、株価の上昇を期待する投資家が増えてくる。
【００２７】
「ＩＩＩ  連続上昇期」
この「連続上昇期」では、図８のグラフの左側上部に位置するもので、上昇期に属する株価の変動期を示す。この「連続上昇期」のコンセンサスにおける「経常利益」は、業績の上方修正をするアナリストが相次ぐ。会社発表とコンセンサスが交互に水準を切り上げる動きがよく見られる。業績の上ぶれ期待が継続し、会社側の上方修正に対し、アナリストがさらに強気の予想を出してくる状況である。
レーティングを引き上げる動きが相次ぎ、多くのアナリストがレーティングを強気にする。
この「連続上昇期」における「株価」は、上昇が本格化し、業績予想の上方修正に株価は敏感に反応を繰り返す。出来高を伴った上昇である。
この「連続上昇期」における「アナリストの心理・業績への投資家の期待感」は、好業績のイメージが定着し、さらなる業績上方修正への期待感が膨らむ。
である。
【００２８】
「ＩＶ  上昇局面終盤期」
この「上昇局面終盤期」では、図８のグラフの上側左に位置するもので、転換期に属する株価の変動期を示す。この「上昇局面終盤期」のコンセンサスにおける「経常利益」は、コンセンサスは上向き傾向を続けていくが業績修正の幅は鈍ってくる。会社の業績予想後、会社予想と変わらずの予想をするアナリストが増加する。
株価の達成感から一部にレーティングを戻す動きもあるが、ほとんどは据え置きである。
この「上昇局面終盤期」における「株価」は、コンセンサスの上昇に対する反応が鈍る。逆に上がり過ぎの反動から反落の場合もある。
この「上昇局面終盤期」における「アナリストの心理・業績への投資家の期待感」は、市場で好業績のイメージが定着する。その結果、アナリスト予想、会社予想の上方修正の幅が投資家の期待感を下回るようになる。
【００２９】
「Ｖ  転換予兆期」
この「転換予兆期」では、図８のグラフの上側右に位置するもので、転換期に属する株価の変動期を示す。この「転換予兆期」のコンセンサスにおける「経常利益」は、上向きもしくは横ばいであり、一部に、来期の予想を弱気に見るなど、業績の基調の変化を論じるアナリストが出てくる。当初は来期のみの数値を下方修正するケースが多い。
多くは据え置きを続ける中、一部にレーティングを下げるアナリストが出てくる。
この「転換予兆期」における「株価」は、高価圏内ながら、徐々に売りに圧され、高価を抜けない展開になる。出来高も減少傾向を見せる。
この「転換予兆期」における「アナリストの心理・業績への投資家の期待感」は、アナリストも業績の基調の変化にまだ確信は持てず、大半のアナリストは予想を下方修正することができない状況である。好業績というイメージは依然続いているが投資家は株価の上値の重さを感じ始める。
【００３０】
「ＶＩ  サプライズ期(下落局面初動) 」
この「サプライズ期(下落局面初動)」では、図８のグラフの右側上部に位置するもので、下落期に属する株価の変動期を示す。この「サプライズ期(下落局面初動)」のコンセンサスにおける「経常利益」は、追随して、今来期共に予想を下方修正するアナリストが増え始める。
レーティングは、強気、ニュートラル、ニュートラルよりもやや弱気に転じるアナリストが混在する。
この「サプライズ期(下落局面初動)」における「株価」は、上値を切り下げる展開で下降基調が徐々に鮮明になる。会社発表で下方修正が確認されることにより本格的下降局面になる。
この「サプライズ期(下落局面初動)」における「アナリストの心理・業績への投資家の期待感」は、基調の変化を予想するアナリストが増えてくると共に株価は高価を付けたと判断する投資家も増えてくる。また、好業績のイメージを裏切る発表が出るに及んで急激にセンチメントが悪化する。
【００３１】
「ＶＩＩ  連続下落期」
この「連続下落期」では、図８のグラフの右側下部に位置するもので、下落期に属する株価の変動期を示す。この「連続下落期」のコンセンサスにおける「経常利益」は、業績の下方修正をするアナリストが相次ぐ。会社発表とコンセンサスが交互に水準を切り下げる動きも多く見られる。
レーティングを引き下げる動きが相次ぎ、多くのアナリストがレーティングを弱気になる。
この「連続下落期」における「株価」は、下落が本格化する。業績予想の下方修正に株価は敏感に反応を繰り返す。出来高を伴った下落になる。
この「連続下落期」における「アナリストの心理・業績への投資家の期待感」は、業績悪化のイメージが定着する。業績上方修正への期待感が持てなくなり失望感が蔓延する。
【００３２】
「ＶＩＩＩ  下落局面終盤期」
この「下落局面終盤期」では、図８のグラフの下側右に位置するもので、転換期に属する株価の変動期を示す。この「下落局面終盤期」のコンセンサスにおける「経常利益」は、コンセンサスは下向き傾向を続けていくが業績修正の幅は鈍ってくる。
株価の下げ幅から一部にレーティングを戻す動きもあるが、ほとんどは据え置きになる。
この「下落局面終盤期」における「株価」は、安価をつけるが、アナリストの下方修正に対して株価の反応は鈍くなる。出来高が減少し人気は離散する。逆に下げ過ぎの反動から反騰の場合もある。下降局面からボックス局面になる。
この「下落局面終盤期」における「アナリストの心理・業績への投資家の期待感」は、すでに業績悪化を予想しているため大幅な業績下方修正で無い限り反応しなくなる。
【００３３】
図９はコンセンサスパターンに実際の個別銘柄を表示した例を示すものである。
図８に示した「コンセンサスパターン」に株価の位置がどの辺とにあるかを座標にプロットすることにより、株価の変動サイクルの中で、銘柄毎に現在の株価がどういう位置にあるかを容易に把握することができる。
【００３４】
なお、本発明は上述した発明の実施の形態に限定されず、証券会社１からアナリストの予想を含むレポート情報を取得して、ユーザ端末６のＷｅｂ画面に、レポート情報の選択された項目に基づくデータをグラフ表示すると共に、このＷｅｂ画面に複数人のアナリストの予想を表示マークで表示する方法であれば、図示したような方法に限定されず、本発明の要旨を逸脱しない範囲で種々変更できることは勿論である。
【産業上の利用可能性】
【００３５】
本発明の各種予想及び各種コンセンサスグラフの表示方法は、株式上場企業の業績予想をビジュアル表示して利用、例えば一般銘柄情報、即ち個別銘柄判断／全体の中での銘柄プロットだけでなく、業種情報、即ち業種コンセンサスでのプロット／業種内での銘柄プロット、ポートフォリオ診断、即ちポートフォリオ組み入れ銘柄のプロットなどその他の業績予想に利用することができる。
【図面の簡単な説明】
【００３６】
【図１】本発明の実施例１の各種予想及び各種コンセンサスグラフの表示方法のシステムである。
【図２】本発明の実施例１の各種予想及び各種コンセンサスグラフを表示するための処理手順を示すフロー図である。
【図３】各アナリスト予想データの一例である。
【図４】会社予想データの一例である。
【図５】コンセンサスデータの一例である。
【図６】コンセンサスデータ等をグラフである。
【図７】企業の「経常利益」予想を表示したＷｅｂ画面である。
【図８】コンセンサスグラフと株価の変動の関係を表した「コンセンサスパターン」を表示したものである。
【図９】コンセンサスパターンに実際の個別銘柄を表示した例を示すものである。
【符号の説明】
【００３７】
１  証券会社
２  入力システム
３  演算処理装置
４  データベース
５  通信回線
６  ユーザ端末（ユーザ）
７  情報提供会社
【図１】
2007264969.tif 000003
【図２】
2007264969.tif 000004
【図３】
2007264969.tif 000005
【図４】
2007264969.tif 000006
【図５】
2007264969.tif 000007
【図６】
2007264969.tif 000008
【図７】
2007264969.tif 000009
【図８】
2007264969.tif 000010
【図９】
2007264969.tif 000011